(57)【特許請求の範囲】
【請求項１】
車室内側に開口部を有する収納凹部と、該収納凹部に形成された小物入れトレイと、前記開口部周縁に回動自在に軸支されると共に、該開口部を開閉可能な蓋体とを有し、前記蓋体の裏面側に飲料容器を収納する飲料容器収納空間を有する飲料容器ホルダ部を形成することにより、前記蓋体が開けられた状態では、該飲料容器ホルダ部を使用可能とする小物入れ付き飲料容器ホルダ構造であって、
前記蓋体が閉じられた状態では、前記飲料容器収納空間内に前記小物入れトレイが位置すると共に、該蓋体が開けられた状態では、前記飲料容器ホルダ部の車両前方側縁部に形成されたロック突起部が、前記小物入れトレイの下面側に形成されたロック片のロック孔に突入することにより、該蓋体が固定されることを特徴とする小物入れ付き飲料容器ホルダ構造。
【請求項２】
前記収納凹部は、車両のインストルメントパネルに形成されていることを特徴とする請求項１記載の小物入れ付き飲料容器ホルダ構造。
【請求項３】
前記飲料容器収納空間には、前記蓋体が開けられた状態で、前記飲料容器収納空間を仕切ると共に、前記蓋体が閉じられた状態で、前記小物入れトレイに当接して倒れる可倒仕切部材が設けられていることを特徴とする請求項１又は２記載の小物入れ付き飲料容器ホルダ構造。
【請求項４】
前記蓋体には、該蓋体が閉じられた状態で、前記小物入れトレイに収納された小物を出し入れ可能とするように、前記開口部を一部開放する切欠開口部が形成されていることを特徴とする請求項１乃至３のうち何れか一項記載の小物入れ付き飲料容器ホルダ構造。
【発明の詳細な説明】
【０００１】
【発明の属する技術分野】
この発明は、自動車の車室内に設けられて多目的用途に使用できる小物入れ付きカップホルダ構造に関するものである。
【０００２】
【従来の技術】
従来、自動車などの車両１では、図１１乃至図１３に示すような飲料容器ホルダ構造が知られている（参照資料：「ミニバンのすべて（モーターファン別冊）」平成１２年３月２５日発行。発行元：株式会社三栄書房）。
【０００３】
このようなものでは、車両１の運転席前方に設けられたインストルメントパネル２の車室内側に形成された凹部３には、回転軸４を回動中心として、飲料容器ホルダ部５ａを裏面側に一体に設けた蓋体５が軸支されている。
【０００４】
このような従来のものでは、図１２に示すように、前記蓋体５を車両後方に向けて回動させて飲料容器ホルダ部５ａを車室内に引き出すと共に、この飲料容器ホルダ部５ａに、カップ又は瓶、缶等の飲料容器６を置くことが出来る。
【０００５】
飲料容器６が前記飲料容器ホルダ部５ａに置かれていない状態では、図１３に示すように、前記回転軸４を回動中心として車両前方に向けて、前記蓋体５を回動させることにより、前記飲料容器ホルダ部５ａを前記凹部３内に収納することが出来る。
【０００６】
また、図１４に示すような実開平１−１６８３４１号公報に記載されているものでは、インストルメントパネル２に凹状に形成されたグローブボックス７には、回転軸を介してグローブボックスドア８が、回動自在に軸支されている。
【０００７】
このグローブボックスドア８の裏面８ａには凹部９が形成され、この凹部９を基底部として伸縮可能な筒状部材１０が設けられている。
【０００８】
そして、この筒状部材１０は、伸長時に前記飲料容器６の載置が可能なように支持部材１１によって支持されると共に、収縮時にはこの支持部材１１によって押圧拘持されるように構成されている。
【０００９】
更に、特開平７−２２３４７７号公報に記載のものでは、図１５に示すように、座席部近傍に設けられたアームレスト本体１２の一部に、凹状の収納ボックス部１３が形成されると共に、この収納ボックス部１３の上側開口１３ａが、回転軸１４によって回動自在に軸支される蓋体１５によって開閉可能となるように構成されている。
【００１０】
この蓋体１５の裏面側には、ドリンクホルダ体１６が設けられていて、挿通孔１７，１７に前記飲料容器６を挿通して置くことが出来る様に構成されている。
【００１１】
このように構成された従来の飲料容器ホルダ構造では、前記蓋体１５が開けられている図１５に示される様な状態では、前記ドリンクホルダ体１６を用いて、飲料容器６を載置出来ると共に、前記収納ボックス部１３内から小物を出し入れすることが出来る。
【００１２】
なお、他のこの種の飲料容器ホルダ構造としては、実開平４−１３０５５２号公報等に記載されている様なものが知られている。
【００１３】
【発明が解決しようとする課題】
しかしながら、このような従来の飲料容器ホルダ構造では、前記蓋体１０を閉じた状態では、図１３中Ｂに示すように飲料容器ホルダ部５ａの飲料容器を収納する部分が空洞となっているので、デッドスペースとなり、スペース効率が良好であるとは言い難かった。
【００１４】
また、図１４に示す前記他の従来のものでは、前記グローブボックスドア８を開放してから、前記筒状部材１０を伸長するといった２段階の飲料容器ホルダ載置の為の準備動作を行わなければならないといった問題があった。
【００１５】
そして、図１５に示す従来のものでは、前記ドリンクホルダ体１６には、飲料容器６以外の小物は収納しにくく、しかも、前記蓋体１５を閉塞した後は、前記収納ボックス１３内の小物の出し入れが出来なくなってしまうといった問題もあった。
【００１６】
そこで、本発明の目的は、上記の問題点を解消し、スペース効率が良好で、使用利便性が良好な小物入れ付き飲料容器ホルダ構造を提供することにある。
【００１７】
【課題を解決するための手段】
上記課題を解決するために、請求項１に記載された発明では、車室内側に開口部を有する収納凹部と、該収納凹部に形成された小物入れトレイと、前記開口部周縁に回動自在に軸支されると共に、該開口部を開閉可能な蓋体とを有し、前記蓋体の裏面側に飲料容器を収納する飲料容器収納空間を有する飲料容器ホルダ部を形成することにより、前記蓋体が開けられた状態では、該飲料容器ホルダ部を使用可能とする小物入れ付き飲料容器ホルダ構造であって、前記蓋体が閉じられた状態では、前記飲料容器収納空間内に前記小物入れトレイが位置すると共に、該蓋体が開けられた状態では、前記飲料容器ホルダ部の車両前方側縁部に形成されたロック突起部が、前記小物入れトレイの下面側に形成されたロック片のロック孔に突入することにより、該蓋体が固定される小物入れ付き飲料容器ホルダ構造を特徴としている。
【００１８】
このように構成された請求項１記載のものでは、前記蓋体が閉じられた状態では、前記飲料容器ホルダ部の飲料容器収納空間内に、前記小物入れトレイが位置する。
【００１９】
このため、該飲料容器収納空間が、デッドスペースとなることなく、スペース効率が良好である。
【００２０】
また、請求項２に記載されたものでは、前記収納凹部は、車両のインストルメントパネルに形成されている請求項１記載の小物入れ付き飲料容器ホルダ構造を特徴としている。
【００２１】
このように構成された請求項２に記載されたものでは、前記収納凹部が、車両のインストルメントパネルに形成されているので、飲料容器ホルダ機能と、小物入れ機能とを併せ持つ多機能なインストルメントパネルを良好なスペース効率で得ることが出来る。
【００２２】
そして、請求項３に記載されたものでは、前記飲料容器収納空間には、前記蓋体が開けられた状態で、前記飲料容器収納空間を仕切ると共に、前記蓋体が閉じられた状態で、前記小物入れトレイに当接して倒れる可倒仕切部材が設けられている請求項１又は２記載の小物入れ付き飲料容器ホルダ構造を特徴としている。
【００２３】
このように構成された請求項３記載のものでは、前記可倒仕切部材が、前記蓋体が開けられた状態で、前記飲料容器収納空間を仕切る。
【００２４】
このため、飲料容器の大きさに適合した飲料容器収納空間を得ることが出来ると共に、該可倒仕切部材を倒せば、飲料容器よりも大きなものを収納することが出来る。
【００２５】
また、該可倒仕切部材が、前記蓋体が閉じられた状態で、前記小物入れトレイに当接して倒れる。
【００２６】
このため、前記小物入れトレイが、前記収納凹部内に固定されたまま、前記蓋体の閉閉塞を行えるので、小物入れトレイ内の収納物を収納状態で保持できる。
【００２７】
更に、請求項４に記載されたものでは、前記蓋体には、該蓋体が閉じられた状態で、前記小物入れトレイに収納された小物を出し入れ可能とするように、前記開口部を一部開放する切欠開口部が形成されている請求項１乃至３のうち何れか一項記載の小物入れ付き飲料容器ホルダ構造を特徴としている。
【００２８】
このように構成された請求項４記載のものでは、前記蓋体に形成された切欠開口部によって、該蓋体が閉じられた状態でも、前記小物入れトレイに収納された小物が出し入れ可能となる。
【００２９】
このため、更に使用利便性が良好である。
【００３０】
【発明の実施の形態１】
以下、本発明の具体的な実施の形態１について、図示例と共に説明する。なお、前記従来例と同一乃至均等な部分については、同一符号を付して説明する。
【００３１】
図１乃至図５は、この発明の実施の形態１の小物入れ付き飲料容器ホルダ構造を示すものである。なお、前記従来例と同一乃至均等な部分については、同一符号を付して説明する。
【００３２】
まず、構成を説明すると、この実施の形態１の小物入れ付き飲料容器ホルダ構造では、図１に示すように、車両の車室前方に装着されるインストルメントパネル１８の足下近傍で、車幅方向略中央部には、収納ユニット部材１８ａが一体となるように装着されている。
【００３３】
この収納ユニット部材１８ａには、車室内側に開放される開口部１９ａを有する収納凹部１９が形成されている。
【００３４】
この収納凹部１９内には、小物入れトレイ２０が、図４又は図５に示すように、高さ方向で略中央位置に位置するように、前壁部１９ｂの高さ方向略中央位置に固着されて、車両後方方向に向けて略水平に延設されている。
【００３５】
この小物入れトレイ２０は、車幅方向を長辺とする角皿状を呈して、周縁に一段高いフランジ部２０ａが形成されていて、収納される小物２１が車両の走行振動で落ちないように構成されている。
【００３６】
この開口部１９ａ周縁には、回動軸２２によって回動自在に軸支されると共に、この開口部１９ａを開閉可能な蓋体２３が設けられている。
【００３７】
前記回動軸２２の周囲には、スプリング部材２６が設けられていて、この蓋体２３を開放する方向（図４中右廻り方向）に付勢している。
【００３８】
この蓋体２３の裏面側には、カップ等の飲料容器６を左，右２個収納可能な飲料容器収納凹部２４が形成されることにより、飲料容器収納空間Ｂを有する飲料容器ホルダ部２５が形成されている。
【００３９】
この飲料容器ホルダ部２５の車両前方側端部２５ａには、ロック突起部２７が形成されていて、前記小物入れトレイ２０の下面側に形成されたロック片２８のロック孔２８ａに突入することにより図４に示すように、開放状態で蓋体２３が固定されるように構成されている。
【００４０】
この実施の形態１では、図４に示すように前記蓋体２３が開けられた状態では、前記飲料容器収納空間Ｂの上方が開放されて、飲料容器６を上方から挿抜出来、この飲料容器ホルダ部２５が使用可能となるように構成されている。
【００４１】
そして、図２に示すように、前記蓋体２３が閉じられた状態では、前記蓋体２３の左，右側縁部２３ａ，２３ａに形成されたロック突状部２９，２９が、前記収納凹部１９側に形成された被係合部材３０，３０に係合することにより、閉じられた状態が維持される。
【００４２】
このように、蓋体２３が閉じられた状態では、前記飲料容器収納空間Ｂ内に前記小物入れトレイ２０が位置するように構成されている。
【００４３】
また、この実施の形態１では、前記飲料容器収納空間Ｂには、前記蓋体２３が開けられた状態で、前記飲料容器収納空間Ｂを仕切ると共に、前記蓋体２３が閉じられた状態で、前記小物入れトレイ２０に当接して内倒する可倒仕切部材３１が設けられている。
【００４４】
可倒仕切部材３１は、平板略凸字形状を呈して、前記飲料容器収納凹部２４の車幅方向略中央位置に、軸３２を介して回動自在に枢着されると共に、バネ部材３３によって、上方方向に向けて付勢されている。
【００４５】
次に、この実施の形態１の作用について説明する。
【００４６】
このように構成された実施の形態１の小物入れ付き飲料容器ホルダ構造では、蓋体２３を前記軸３２を回動中心として車両後方に向けて回動させると、この蓋体２３の左，右側縁部２３ａ，２３ａに形成されたロック突状部２９，２９の前記収納凹部１９側に形成された被係合部材３０，３０に対する係合が解除される。
【００４７】
そして、図２又は図４に示すように、前記飲料容器収納空間Ｂの上方が開放されて、この飲料容器ホルダ部２５が使用可能となる。
【００４８】
この際、スプリング部材２６が、この蓋体２３を開放する方向（図４中右廻り方向）に付勢して、飲料容器ホルダ部２５の車両前方側端部２５ａに形成されたロック突起部２７が、前記小物入れトレイ２０の下面側に形成されたロック片２８のロック孔２８ａに突入して係止されることにより、開放状態で蓋体２３が固定される。
【００４９】
そして、前記可倒仕切部材３１によって、この蓋体２３が開けられた状態で、前記飲料容器収納空間Ｂ内が、左，右に略２分されて仕切られる。
【００５０】
このため、飲料容器６の大きさに適合した飲料容器収納空間Ｂを得ることが出来る。
【００５１】
また、この可倒仕切部材３１を、前記バネ部材３２の付勢力に抗して倒せば、飲料容器６よりも大きなものも収納することが出来る。
【００５２】
次に、前記蓋体２３を前記軸３２を回動中心として車両前方に向けて回動させると、前記ロック突起部２７のロック孔２８ａに対する係止が解除されて、前記スプリング部材３３の付勢力に抗して前記蓋体２３を閉塞する方向（図４中左廻り方向）に移動させて、ロック突状部２９，２９を被係合部材３０，３０に各々係合させる。
【００５３】
図３及び図５に示す前記蓋体２３が閉じられた状態では、前記飲料容器ホルダ部２５の飲料容器収納空間Ｂ内に、前記小物入れトレイ２０が位置する。
【００５４】
このため、飲料容器収納空間Ｂが、デッドスペースとなることなく、スペース効率が良好である。
【００５５】
また、この実施の形態１では、前記収納凹部１９が、車両のインストルメントパネル１８に一体に装着される収納ユニット部材１８ａに形成されているので、飲料容器ホルダ機能と、小物入れ機能とを併せ持つ多機能なインストルメントパネル１８を良好なスペース効率で得ることが出来る。
【００５６】
そして、この閉じられた状態では、図５に示すように、可倒仕切部材３１が、前記蓋体２３が閉じられた状態で、前記小物入れトレイ２０に当接して倒れる。
【００５７】
このため、前記小物入れトレイ２０が前記収納凹部１９内で略水平に固定されたまま、前記蓋体２３の開閉が妨げられることなく行えるので、この小物入れトレイ２０内に小物２１を収納したまま、前記蓋体２３を閉じてこの収納凹部１９の蓋として機能させることができる。
【００５８】
【実施の形態２】
図６乃至図１０は、この発明の実施の形態２の小物入れ付き飲料容器ホルダ構造を示すものである。なお、前記実施の形態１と同一乃至均等な部分については同一符号を付して説明する。
【００５９】
この実施の形態２の小物入れ付き飲料容器ホルダ構造では、前記実施の形態１の蓋体２３に相当する蓋体１２３及び飲料容器収納凹部１２４には、この蓋体１２３が閉じられた状態で、前記小物入れトレイ２０に収納された小物２１を出し入れ可能とするように、前記開口部１９ａを一部開放する切欠開口部１２３ａ，１２４ａが形成されている。
【００６０】
また、この実施の形態２の前記収納凹部１９の前壁部１９ｂには、略上方に向けて立設される鉛直延設部１９が設けられていて、前記蓋体１２３が閉じられた状態で、更に、前記切欠開口部１２３ａ，１２４ａ周縁との間隔が大きくなるように構成されている。
【００６１】
次に、この実施の形態２の小物入れ付き飲料容器ホルダ構造の作用について説明する。
【００６２】
この実施の形態２の小物入れ付き飲料容器ホルダ構造では、前記実施の形態１の作用効果に加えて更に、蓋体１２３が閉じられた図８及び図１０に示す状態でも、前記蓋体１２３及び飲料容器収納凹部１２４に形成された切欠開口部１２３ａ，１２４ａが、前記鉛直延設部１９ｃから所定距離離間されて収納凹部１９の上方空間Ｇを一部開放する。
【００６３】
このため、この蓋体１２３が閉じられた状態であっても、前記小物入れトレイ２０に収納された小物等が出し入れ可能となり、更に使用利便性が良好である。
【００６４】
他の構成及び作用効果については、前記実施の形態１と略同一であるので説明を省略する。
【００６５】
以上、本発明の実施の形態１，２を図面に基づいて説明してきたが、本発明は、前記実施の形態１，２に限定されるものでなく、本発明の要旨を変更しない範囲の設計変更があっても、本発明に含まれる。
【００６６】
例えば、実施の形態１では、前記インストルメントパネル１８に装着される収納ユニット部材１８ａに、収納凹部１９を設けたものを用いて説明してきたが、特にこれに限らず、例えば、車両のセンターコンソールボックスや、アームレスト、ドアポケット若しくはグローブボックス等、車室内側に開口部を有するものであるならば、どのような箇所に設けられる収納凹部であってもよい。
【図面の簡単な説明】
【図１】本発明の実施の形態１の小物入れ付き飲料容器ホルダ構造を示し、全体の構成を説明する斜視図である。
【図２】実施の形態１の小物入れ付き飲料容器ホルダ構造で、収納ユニット部材の蓋体を開放した様子を説明する斜視図である。
【図３】実施の形態１の小物入れ付き飲料容器ホルダ構造を示し、収納ユニット部材の蓋体を閉塞した様子を説明する斜視図である。
【図４】実施の形態１の小物入れ付き飲料容器ホルダ構造で、蓋体を開放した様子を説明する図１中Ｃ−Ｃ線に沿った位置での断面図である。
【図５】実施の形態１の小物入れ付き飲料容器ホルダ構造で、蓋体を開放した様子を説明する図３中Ｄ−Ｄ線に沿った位置での断面図である。
【図６】本発明の実施の形態２の小物入れ付き飲料容器ホルダ構造を示し、全体の構成を説明する斜視図である。
【図７】実施の形態２の小物入れ付き飲料容器ホルダ構造で、収納ユニット部材の蓋体を開放した様子を説明する斜視図である。
【図８】実施の形態２の小物入れ付き飲料容器ホルダ構造を示し、収納ユニット部材の蓋体を閉塞した様子を説明する斜視図である。
【図９】実施の形態２の小物入れ付き飲料容器ホルダ構造で、蓋体を開放した様子を説明する図６中Ｅ−Ｅ線に沿った位置での断面図である。
【図１０】実施の形態２の小物入れ付き飲料容器ホルダ構造で、蓋体を開放した様子を説明する図８中Ｆ−Ｆ線に沿った位置での断面図である。
【図１１】従来例の飲料容器ホルダ構造を示し、全体の構成を説明する斜視図である。
【図１２】従来例の飲料容器ホルダ構造を示し、図１１中Ａ−Ａ線に沿った位置での断面図である。
【図１３】従来例の飲料容器ホルダ構造を示し、図１１中Ａ−Ａ線に沿った位置での閉じられた状態での断面図である。
【図１４】他の従来例のグローブボックスに設けられた飲料容器ホルダ構造の構成を説明する斜視図である。
【図１５】その他の従来例で、アームレストに設けられた飲料容器ホルダ構造の構成を説明する斜視図である。
【符号の説明】
６            飲料容器
１８          インストルメントパネル
１９          収納凹部
１９ａ        開口部
２０          小物入れトレイ
２１          小物
２３，１２３  蓋体
２４          飲料容器収納凹部
２５          飲料容器ホルダ部
３１          可倒仕切部材
１２３ａ      切欠開口部
Ｂ            飲料容器収納空間
【図１】
0003788267.tif 000002
【図２】
0003788267.tif 000003
【図３】
0003788267.tif 000004
【図４】
0003788267.tif 000005
【図５】
0003788267.tif 000006
【図６】
0003788267.tif 000007
【図７】
0003788267.tif 000008
【図８】
0003788267.tif 000009
【図９】
0003788267.tif 000010
【図１０】
0003788267.tif 000011
【図１１】
0003788267.tif 000012
【図１２】
0003788267.tif 000013
【図１３】
0003788267.tif 000014
【図１４】
0003788267.tif 000015
【図１５】
0003788267.tif 000016